(57)【特許請求の範囲】
【請求項１】
底部と上部開口とを有するボウルと、ボウル内に位置すると共にボウルの底部の上方において上向きに開口する空洞部分を有する曝気セルとを有し、空洞部分がその中に複数の開口を有し、曝気セルがボウルの上部開口より下方でかつ内方へ離間された上部を開放した開口を有し、曝気セルがボウルの底部の上方に伸びる少なくとも１本の脚部によって支持され、曝気セルが所望量のワインを通過させ、重力によってボウルの底部内に落下させるに十分な距離だけボウルの底部から隔ててボウルの底部の上方に設けられる、ワイン飲用容器を用意するステップと、
ワインを用意するステップと、
ボウルおよび曝気セルが空であるときに、ボウルの上部開口の上から下向きにワインを曝気セルに直接注ぐステップと、
ワインが上向きに開口する空洞部分の開口を通って流れ、ワインのデカントおよび／または曝気を行うように重力によってボウルの底部に落下するステップと
を含む、ワインをデカントおよび／または曝気するためのワイン飲用容器の使用方法。
【請求項２】
ワイン飲用容器がガラス製である、請求項１に記載の方法。
【請求項３】
曝気セルが単一の脚部により支持される、請求項１に記載の方法。
【請求項４】
曝気セルが、上向きに開口する空洞部分に隣接して上向きに延びる中央突出部を有する、請求項１に記載の方法。
【請求項５】
曝気セルが、上向きに延びる中央突出部の周りでボウルの底部上に配置された上向きに開口する複数の空洞部分を含む、請求項１に記載の方法。
【請求項６】
ワイン飲用容器は、ワインをボウルの底部の周りで旋回するときにワインを攪拌するように適合される、ボウル内の底部において曝気セルから外向きに延びる突起をさらに含む、請求項１に記載の方法。
【請求項７】
曝気セルの上部開口の幅がボウルの上部開口の幅の半分以下である、請求項１に記載の方法。
【請求項８】
曝気セルの上部開口の幅がボウルの上部開口の幅の半分以上である、請求項１に記載の方法。
【請求項９】
ボウルが単一の脚部と基部とにより支持される、請求項１に記載の方法。
【請求項１０】
曝気セルが非着脱自在にボウルに取り付けられる、請求項１に記載の方法。
【請求項１１】
底部と上部開口とを有するボウルと、
ボウル内に位置すると共にボウルの底部の上方において上向きに開口する空洞部分を有する曝気セルであって、空洞部分がその中に複数の開口を有し、曝気セルがボウルの上部開口より下方でかつ内方へ離間された上部を開放した開口を有し、曝気セルがボウルの底部の上方に伸びる少なくとも１本の脚部によって支持され、曝気セルが所望量の飲み物を通過させ、重力によってボウルの底部内に落下させるに十分な距離だけボウルの底部から隔ててボウルの底部の上方に設けられる曝気セルと
を含み、
ボウルおよび曝気セルが空であるときに、ボウルの上部開口の上から下向きに飲み物を曝気セルに直接注ぎ、飲み物が上向きに開口する空洞部分の開口を通って流れ、飲み物のデカントおよび／または曝気を行うように重力によってボウルの底部に落下する、
飲み物をデカントおよび／または曝気するための飲用容器。
【請求項１２】
飲用容器がガラス製である、請求項１１に記載の飲用容器。
【請求項１３】
曝気セルが単一の脚部により支持される、請求項１１に記載の飲用容器。
【請求項１４】
曝気セルが、上向きに開口する空洞部分に隣接して上向きに延びる中央突出部を有する、請求項１１に記載の飲用容器。
【請求項１５】
曝気セルが、上向きに延びる中央突出部の周りでボウルの底部上に配置された上向きに開口する複数の空洞部分を含む、請求項１１に記載の飲用容器。
【請求項１６】
飲み物をボウルの底部の周りで旋回するときに、飲み物を攪拌するように適合される、ボウル内の底部で曝気セルから外向きに延びる突起をさらに含む、請求項１１に記載の飲用容器。
【請求項１７】
曝気セルの上部開口の幅がボウルの上部開口の幅の半分以下である、請求項１１に記載の飲用容器。
【請求項１８】
曝気セルの上部開口の幅がボウルの上部開口の幅の半分以上である、請求項１１に記載の飲用容器。
【請求項１９】
ボウルが単一の脚部と基部とにより支持される、請求項１１に記載の飲用容器。
【請求項２０】
曝気セルが非着脱自在にボウルに取り付けられる、請求項１１に記載の飲用容器。
【発明の詳細な説明】
【技術分野】
【０００１】
本発明は、個人用の飲用容器、とりわけ、ワインやマティーニグラスに関し、この飲用容器は、液体の飲み物がグラスに注がれる際に、飲み物のデカント、ろ過、混合および／または曝気を行うための内部セルを有する。
【背景技術】
【０００２】
ワイングラスは、一般的にボウル、脚部および台足の三つの部分から構成されている。赤ワイン用のグラスは、より丸みを帯び、より広い開口部を有するより幅の広いボウルにその特徴があり、それによりワインの呼吸が可能となる。ボウルの形状については、ワインの特徴的な性質を強めるために風味や香りに焦点を当てている。
【０００３】
果実から作られる飲み物は、しばしばその皮や種から発生する小片を含み、それらが飲料用容器の底に沈殿する場合がある。とりわけワインについては、ワイン自体と共にワイングラスに移されてしまう可能性のある、そのような小片をしばしば含んでいる。
【０００４】
これまでのワイングラスは、例えば、米国特許公開第ＵＳ２００６／００３２８５５号公報に示されるように、ワインがグラスへ注がれた後に、渦を巻かせて空気と混合するのを助ける内部構造を有するものが作られてきた。ワインが注がれる際にデカントするための他の装置は、米国特許第６,４０９,３７４号公報、米国特許公開第ＵＳ２００７／０２５６５６８号公報、同第ＵＳ２００８／０２９０１０２号公報、国際特許公開第ＷＯ２００７／１０５０７５号公報において開示されている。しかし、ワインが注がれる際のデカント、ろ過、混合および曝気を許容するための、ワイングラス自体の内部における効果的な構成は、それらのいずれにおいても提示されていない。
【先行技術文献】
【特許文献】
【０００５】
【特許文献１】米国特許公開第ＵＳ２００６／００３２８５５号公報
【特許文献２】米国特許第６,４０９,３７４号公報
【特許文献３】米国特許公開第ＵＳ２００７／０２５６５６８号公報
【特許文献４】米国特許公開第ＵＳ２００８／０２９０１０２号公報
【特許文献５】国際特許公開第ＷＯ２００７／１０５０７５号公報
【発明の概要】
【発明が解決しようとする課題】
【０００６】
先行技術における問題点や不足する点に鑑みて、本発明の目的は、飲料用グラスに飲み物を注ぐ際に、この飲み物を曝気するための飲料用グラスを提供することにある。
【０００７】
また、本発明の別の目的は、飲料用グラスに飲み物を注ぐ際に、この飲み物のデカント、ろ過、混合および／または曝気を行うための内部手段を有する飲料用グラスを提供することにある。
【０００８】
本発明の更なる目的は、飲み物の温度を変化または維持させるための飲料用グラスを提供することにある。
【０００９】
本発明の更なる他の目的は、風味を付けた液体を保持し、飲み物と混合するための内部セルを有する、飲料用グラスを提供することにある。
【００１０】
また、上記以外の本発明の目的や特徴については、明細書から有る程度自明および明白になる。
【課題を解決するための手段】
【００１１】
当業者とって明白な、上記目的やその他の目的は、飲料のデカント、ろ過、混合および／または曝気のための飲料用容器に対する本発明において達成される。この飲用容器は、底部および上部開口を有するボウルと、上向きの空洞または凹表面部分を有する曝気セルとからなり、この曝気セルは、所望量の飲み物を通過させて流し、重力によってボウルの底部に流れ落ちるように、ボウルの底部の上方に十分な距離をもって備えられている。このセルは、飲み物のデカントおよび／または曝気に適合し、この飲み物は、ボウル上部開口を通して曝気セル上に注がれ、続いて空洞部分を流れ、重力によってボウルの底部に流れ落ちる。
【００１２】
また関連する観点として、本発明は、飲み物のデカントおよび／または曝気のための飲用容器の使用に関するものであり、底部および上部開口を有するボウルと、ボウルの底部上に備えられ、上向きの空洞部分を有するボウル内部の曝気セルとを有する飲用容器を用意し、飲み物を用意し、そして飲み物をボウルの上部開口を通してこの曝気セルに注ぐ、各ステップを含んでいる。これにより、飲み物は上向きの空洞部分を通り、重力によってボウルの底部に流れ落ちることが許容され、それにより、この飲み物のデカントおよび／または曝気が行われる。
【００１３】
前記セルは、ボウルの底部上に伸びる少なくとも一つの脚部に支持され、また、このセルの空洞部分の外周面には、複数の穴が設けられていることが望ましい。そして、飲み物をこの穴を通してボウルの底部に流すステップが、この方法に含まれる。
【００１４】
前記飲用容器は、上向きの空洞部分の近傍に、上方に伸びた突出物を含み、同時に、この突出物の周囲およびボウルの底部の上方には、複数の上向き空洞部分が設けられている。そしてこの方法には、上方に伸びた中央部の突出物上に飲み物を注ぎ、上向き空洞部分の近接箇所に飲み物が流れるのを許容するステップ、または、飲み物を複数の上向き空洞部分の上に注ぐステップが含まれる。
【００１５】
この飲用容器には更に、ボウル内底部の外向きに伸びた突起が含まれ、この突起は、飲み物をボウルの底部を廻って旋回させたときに、この飲み物に攪拌を加える。そしてこの方法には、ボウルの底部において、外向きに伸びる突起上で、飲み物を旋回させることによって、飲み物に攪拌を加えるステップが含まれる。
【００１６】
本発明はまた、飲み物をデカントおよび／または曝気するための飲用容器に関するものであり、この飲用容器は、上部開口を有するボウルと、壁部、曝気セル上端に沿う上部開口および壁部を通過する少なくとも一つの穿孔を有する曝気セルとで構成されている。このセルはボウル内部にあり、ボウル中央の外側に伸びる複数の脚部によってボウルの底部上方に支持されている。前記少なくとも一つのセルの穿孔は、所望量の飲み物を通過させて流し、重力によってボウルの底部に流れ落ちるように、ボウルの底部上方に十分な距離をもって備えられている。このセルは、飲み物を、デカントおよび／または曝気するように適合し、この飲み物はボウルの上部開口を通りセル上部開口に注がれ、少なくとも一つの穿孔を通ってボウルに流れ落ちる。前記脚部は、飲み物をボウルの底部を廻って旋回させるときに、この飲み物に攪拌を加える。
【００１７】
本発明はまた、上部開口を有するボウルと、壁部、曝気セルの上端に沿う上部開口およびこの壁部を通過する少なくとも一つの穴または穿孔を有し、ボウルの底部上方に位置する曝気セルとから構成される飲用容器に関するものである。前記曝気セルは、所望量の飲み物を通過させて流し、重力によってボウルの底部に流れ落ちるように、ボウルの底部上方に十分な距離をもって配設されている、上向きの空洞または凹表面形状を有することが望ましい。前記曝気セルは、飲み物をデカント、ろ過、混合および／または曝気するためのものであり、ボウル内部に取り付けられている。この飲み物は、ボウル上部開口を通過しセル上部開口に注がれ、続いて少なくとも一つの穴または穿孔を通ってボウルに流れ落ちる。
【００１８】
他の観点として、本発明は飲み物をデカント、ろ過、混合および／または曝気するための飲用容器を利用する方法に関するものである。前記方法は、上部開口を有するボウルと、このボウル内において壁部、曝気セルの上端に沿う上部開口および壁部を通過する少なくとも一つの穿孔を有する曝気セルとを有する飲用容器を用意するステップを含む。前記方法は、飲み物を用意するステップ、飲み物がボウル上部開口を通ってセル上部開口に注がれ、少なくとも一つの穿孔を通ってボウルに流れ落ち、それにより飲み物をデカント、ろ過、混合および／または曝気するステップを含む。
【００１９】
前記曝気セルは、セル壁部における少なくとも一部分において複数の穿孔を有していることが望ましく、更には、この穿孔の全てが、所望量の飲み物を通過させて、ボウルに流れ落ちるように、ボウルの底部上方に十分な距離をもって備えられていることがより望ましい。前記方法では、飲み物を少なくとも一つの穿孔を通過させボウルに流すステップにおいて、穿孔の高さに飲み物の上面が近づいてきた時点で、飲み物の注入を停止するステップが含まれる。代替的に、曝気セル穿孔をボウルの底部まで伸ばす。
【００２０】
前記方法は、曝気セルの壁部の一部分のみにおいて、複数の穿孔を用意するステップを含む。この曝気セルは、ボウルの底部上で、ボウルに保持されるべき飲み物の所望量を示す距離に支持されている下端を含む。この曝気セルはボウルの底部上方に支持される。
【００２１】
前記曝気セルは、ボウルに着脱自在な状態に取り付けられている。この曝気セルは、飲み物が少なくとも一つの穿孔を通りボウルに流れ落ちることが許容された後に取り外される。代替的に、ボウル上部開口に沿う縁によって支えられる縁を有し、飲み物をボウル上部開口を通して曝気セル上部開口に注ぐ前に、この曝気セルのヘリがボウルの縁に接触するように配置される。
【００２２】
前記飲用容器は、ボウル上部開口の幅の半分以下である上部開口を有するセルを含む。代替的に、前記曝気セルの上部開口の幅を、ボウルの上部開口の幅の半分以上にする。
【００２３】
前記飲用容器は、分離した、着脱自在なフィルターバスケットを有し、このフィルターバスケットは飲み物が少なくとも１つの穿孔を通りボウルに流れ落ちることを許容した後に取り外される。また、前記飲用容器が使用者の口よりも大きいボウル開口を有することが望ましい。
【００２４】
前記飲用容器が、基部とボウルを支える脚部を有するワイングラスであり、前記飲み物は赤ワインのようなワインであることが望ましい。
【００２５】
代替的に、セルの穿孔をボウルの底部に延ばす。第一の飲み物がセルに注ぎ混まれ、続いて第二の飲み物がボウルに注がれ、第一の飲み物が穿孔を通ってボウルに流れることにより、この第一と第二の飲み物の混合が開始される。セル下端の位置、またはより高い位置に、飲み物の上面が近づいてきた時点で、飲み物の注入は停止される。
【００２６】
他の観点として、本発明は飲み物の温度を変化または維持するための飲用容器についてのものである。この飲用容器は、上部開口を有するボウルと、グラス内部の飲み物を希釈することなしに冷やしたり熱したりするための物質を含む、ボウル内部の密閉されたセルとから構成される。このセルは、ボウル内における飲み物の所望量を標示する上端を有する。
【００２７】
前記密閉されたセル内の物質は、華氏約４０〜６５度（摂氏４〜１８度）の間で、固体から液体へ相変化するものであることが望ましい。ボウルの底部は上向きの凸表面または凹表面形状であり、前記密閉されたセルはこの凸表面または凹表面の下方にある。前記密閉されたセルはボウルから着脱自在である。前記飲用容器が、ボウルを支える底部と脚部を有するワイングラスであり、前記飲み物は白ワインのようなワインであることが望ましい。
【００２８】
更に他の観点として、本発明は、飲み物を混合するための飲用容器およびそれを使用した方法に関するものである。前記飲用容器は、上部開口を有するボウルと、ボウル内部に取り付けられた、壁部、セル上端に沿う上部開口および壁部を通過する複数の開口部を有する混合セルとから構成されている。この開口部の主軸は、混合セルの中心に対して非放射状である。前記混合セルは、ボウルの上部開口を通って混合セルの上部開口に注がれ、続いて穿孔を通ってボウル内部へ流れ落ちる飲み物を、混合したり渦を巻かせたりするように適合されている。
【００２９】
本発明の特徴は新規であると考えられ、本発明の特徴的な要素は、特に添付の特許請求の範囲に記載している。図面は、説明のみを目的としており、一定の縮尺で描かれたものではない。しかし、構成および操作方法の両方としての本発明自体は、添付の図面とともに以下の好ましい実施形態の説明を参照することによって最もよく理解できるであろう。
【図面の簡単な説明】
【００３０】
【図１】図１は本発明による、飲料用グラスの斜視図である。
【図２】図２は飲み物が一体化した内部セルを通過して流れる様子を示す、本発明による飲料用グラスの斜視図である。
【図３】図３は穴の開けられた着脱自在なセルと容量標示を有する飲料用グラスの斜視図である。
【図４】図４は本発明による飲料用グラスの第２の態様を示す斜視図である。
【図５】図５は本発明による飲料用グラスの第３の態様を示す斜視図である。
【図６】図６は図５の飲料用グラスにおける、線６−６で示されている部分を示す上方平面図である。
【図７】図７は本発明による飲料用グラスの第４の態様を示す横立面図である。
【図８】図８は内部セルに着脱自在な網状フィルターを有する飲料用グラスの斜視図である。
【図９Ａ】図９Ａは着脱自在なデカントセルを有する、本発明による飲料用グラスの他の態様を示す側面図である。
【図９Ｂ】図９Ｂは図９Ａで示された飲料用グラスの、セルが取り付けられた状態の側面図である。
【図１０】図１０は本発明による飲料用グラスの第五の態様を示す斜視図である。
【図１１】図１１は図１０の飲料用グラスにおける、線１１−１１で示されている部分を示す平面図である。
【図１２】図１２は図１０の飲料用グラスにおける曝気セルの一部拡大斜視図である。
【図１３】図１３は本発明による飲料用グラスの第六の態様を示す斜視図である。
【図１４】図１４は図１３の飲料用グラスにおける、線１４−１４で示されている部分を示す平面図である。
【図１５】図１５は本発明による飲料用グラスの第七の態様を示す斜視図である。
【図１６】図１６は図１５の飲料用グラスにおける、線１６−１６で示されている部分を示す平面図である。
【図１７】図１７は一体化された内部冷却セルを有する、本発明による飲料用グラスの斜視図である。
【図１８】図１８は図１７の飲料用グラスの変形例を示す側面図である。
【図１９】図１９は図１７の飲料用グラスの他の変形例を示す側面図である。
【図２０】図２０は風味付けを行う液体のための、一体化された内部セルを有する、本発明による飲料用グラスの断面図である。
【図２１】図２１は図２０の飲料用グラスの一つの変形例を示す平面図である。
【発明を実施するための形態】
【００３１】
本発明の好ましい実施形態の説明において、図１〜２１を参照するが、本発明の類似の特徴部分に対しては、類似の参照番号を付与する。
【００３２】
図１に示すように、飲料用容器またはグラス１０は、幅の広い開口２４をその上端に有するボウル２０と、細長形状の下方脚部５０と、水平面で飲料用グラスを支持する底部５２とを有する。このグラスボウルは一般的なワイングラスのボウルと近似するものが好ましい。この飲料用グラスには、ボウル内部において、円柱形状を有する、より小さな内部セルまたは仕切り３０が含まれる。このセルは、側面または壁部３１と上部開口３２と側壁部とにおいて均等に配される、側壁部を貫通する少なくとも一つの、好ましくは複数の穿孔３４を有する。カップ形状のセル３０は、飲み物がボウル２０に注がれる際にこの飲み物を受けるための、上向きの空洞または凹表面形状を有している。この穿孔された内部セルは、ボウルの開口を通して飲み物が飲料用グラスに注がれる際に、この飲み物のデカント、ろ過、混合および／または曝気を行う。前記内部セルまたは容器３０は、このセルの上端がボウル開口上端２４より高くなるか、またはセルの下端がボウルの底部の上方になるように、脚部または他の支持部材３６によってボウル２０の内部に支持されている。支持部材３６は、所望量の飲み物をセル３０を通過させて流し、重力によってボウルの底部に流れ落ちるように十分な距離をもって備えられている。
【００３３】
図２においては、飲み物のデカント、ろ過、混合および／または曝気のための飲料用グラス１０の使用方法が示されている。ワインボトル８０から、ワイン６２がボウル開口２４を通してセル３０の上部開口３２へと注がれる。このセルがワインで満たされると、ワインは重力に応じて複数の穿孔３４を通して流され、ボウル２０に流れ落ちる。その際、ワインに含まれていた小片は穿孔下方に落ちるか、または大きすぎて穿孔を通過することができずにろ過される。ワインの流れ６２’が穿孔を通過すると、空気にさらされるワインの表面積が増加し、ワインがワイングラスのボウルに直接注がれるよりも、より効果的な曝気が可能となる。
【００３４】
前記方法は、ボウルと、外表面を有する曝気セルと、表面上端に沿う上部開口と、飲料用グラスのボウル内部に一体化されている表面の複数の穿孔とを有する飲料用グラスを用意するステップを含むことが好ましい。前記方法には、曝気セル３０の上部開口３２に飲み物を注ぎ、飲み物が外表面３１の穿孔を通過することを許容するステップが含まれる。前記方法により、セル３０を通過してセルの外側下方のグラスボウル２０内に流れ落ちる飲み物６２のデカント、混合、曝気および／またはろ過が行われる。
【００３５】
図３は、セルフデカント用飲料用グラス１０’の別の態様を示している。このグラスには、支持部材３６に取り付けられて連結された着脱自在な曝気セル３０が含まれている。支持部材３６はボウル２０の下方表面または脚部５０上端に着脱自在または恒久的に一体的に取り付けられている。支持部材３６は支持ソケット３８に滑り込むように嵌められるのが好ましく、それにより、セル３０は容易にソケットに挿入またはソケットから取り外すことが可能となる。容量標示線２２は、ワインや飲み物を注ぐ際の標準分量を示すために、ボウルに刻みこまれるかまたは他の方法で適用されており、セル３０の下端３３の高さと一致している。特定の分量値が容量標示線２２に沿って追記され得る。
【００３６】
図３において、下端３３と上端３２の間で、穿孔３４がセル３０の全ての垂直面において分布している。図４は飲料用グラスの他の態様を示しており、穿孔３４はセル３０’の上半分のみに施され、セルの下半分は穿孔のない状態となっている。この態様においては、澱（オリ）がセル３０’からボウル２０に流れ落ちるのを防ぐデカント方法が可能となる。図５に示された態様では、セル３０’’の下部２０パーセントの位置の高さまでのみに穿孔３４が設けられ、上部８０パーセントは側面に穿孔がない状態を表している。内部セルは、穿孔を有する側面の垂直面を望ましい形状にすることができ、穿孔のない部分を設けることもできる。穿孔は、セルの側面壁部に加え、またはその代わりに、セルの下端面に設けることもできる。なおグラスが曝気および／またはろ過に利用される態様においては、曝気またはろ過された所望量の飲み物がボウル内部に含まれるようにするのに十分な間隔をもって、最も下部にある穿孔がボウルの底部の上方に位置するようにする必要がある。
【００３７】
飲み物、とりわけワインの曝気をさらに促す目的で、ボウルの底部において飲み物に渦を巻かせるように攪拌を加えるため、外側に向かって伸びる突起をボウル内底部に設けることができる。そのような突起または隆起物６０は、図５および６に示すように、ボウルの底部に、および／またはボウルの底部から上方に伸びる形で設置される。
【００３８】
図７では、これまでの図１〜５におけるセルよりも浅く幅の広い曝気セル３０’’’の態様が示されている。曝気セル３０’’’は、支持部材３６の上端に取り付けられて連結し、このセルの下方壁部に穿孔３４を有する。また、幅の広い上部開口３２’が設けられ、それにより、ボトルから注がれたワインが曝気セルから漏れ落ちないようにすることができる。この態様において、セル３０’’’の幅または直径は、ボウル２０の開口２４の幅または直径の半分よりも大きい。
【００３９】
図８に示す飲料用グラスのその他の態様では、飲み物のろ過をより効果的に行うために、分離した着脱自在なフィルターバスケット７０が曝気セル３０に含まれている。加えて、このフィルターバスケットにはハンドル７２が取り付けられ、曝気セルへの挿入および曝気セルからの取り外しを容易にすることができる。またこの態様により、ワインからろ過された小片または澱をより容易に捨てることが可能となる。
【００４０】
図９Ａおよび９Ｂの分解図および常態図で示されている飲料用グラスの他の態様においては、曝気セル１００またはカップが飲料用グラス２０の縁１０４に配置されるようになっており、セルの上部開口１０６の縁１０２によって支えられている。曝気セル１００はまた、下端壁部１０４と、上方開口とこの下端壁部との間にある側面壁部１０８とを含む。側面壁部１０８には、下端面１０４から少なくともｄ分の距離の箇所に穿孔３４’が設けられている。ワインに含まれる小片や澱が、穿孔３４’を通りボウル２０に流れ込むことなく、確実に下端面に落ちるようにするため、下端面から十分な間隔をもって穿孔が設けられることが望ましい。
【００４１】
図９Ｂは、飲料用グラスのボウル２０の所定の箇所にある曝気セル１００と、このセルに注がれる飲み物６２とを表している。曝気セルの中で飲み物の上面が穿孔の位置に届くと、飲み物は穿孔を通ってボウル２０へ流れ落ち始める。縁１０２は飲料用グラスの様々な形体の縁に適合するよう形成することができる。
【００４２】
本発明による飲料用グラスの更なる態様が図１０〜１６に示されている。なお、これまで示した態様における各部材の符号の前にそれぞれ“１”が付されている。図１０〜１２において示されている態様では、曝気セル１３０はボウル１２０の底部上に脚部１３６によって支持されている。この曝気セルは花の形に似せてあり、上方に伸びる中央突出物４２から外側に向かって伸びる複数の花びら４０が設けられている。それぞれの花びらにおいて、基部４０ｂと先端４０ｃの間の花びら内部表面に上向きの空洞または凹表面部分４０ａが設けられている。図１２に示す通り、ワイン６２はボウルの開口を通って突出物４２および／または空洞部分４２ａと接触する。そして、花びら４０の基部４０ｂ間の開口を通って水流６２’となり、重力によってボウルの底部へと流れ落ち、ワイン表面部分は効果的に空気に触れる。中央から外側に向かって伸びる突出物または隆起物６０は、ワインの水流６２’がグラス内で渦を巻くように攪拌を加えることができるように、ボウルの底部上に形成される（図１１）。１つまたは複数の空洞部分４０ａ、突出物４２および突出物６０はボウル１２０内において様々な箇所に位置させることができる。
【００４３】
図１３および１４は、図１０〜１２の態様を変形させた飲料用グラスを示している。曝気セル１３０’は、中央突出物４２’の周囲に外向きに位置する基部４０ｂ’と、先端４０ｃ’の間にある空洞または凹表面部分４０ａ’とにより構成されている。空洞表面４０ａ’はボウル１２０の底部上に広がるように形成されている。外側に向かって伸びる攪拌用隆起物６０’は、ボウルの底部上に伸びる基部４０ｂ’および先端４０ｃ’と共に葉っぱの形に模してあり、更に基部と先端の間の上面に、上向きの空洞部分４０ａ’を備える。下方位置にある突出物４２’を囲む複数の空洞部分４０ａ’は、ワイン６２がボウルの底部に流れ落ちる前に、上方６２’に向かってはじけるように流れるよう作用する。
【００４４】
図１５および１６は、図１の態様を変形させた状態を示している。曝気セルは、上部開口１３２と、複数の穴１３４を有する側面壁部１３１とを含む、カップ形状のセル１３０’’である。ワイン６２は曝気セル内部の上向きの空洞または凹表面部分に注がれ、セル開口からボウル１２０の底部に向けて流れ落ちる水流６２’を形成する。単一の脚部の代わりに、複数の支持部材６０’’が、セルを支えるだけでなく、ボウルの底部でワインが渦を巻くように攪拌を加える突出物または隆起物としても形成されている。図示の場合、この複数の支持部材は、セル１３０’’の底部から外側に向かって伸びる三脚形状で示されている。
【００４５】
図１７には、飲み物を所望の温度に変化または維持するためのワインまたは飲料用グラス１２が示されている。飲料用グラスには、ボウル２０’、密閉された温度セル９０、脚部５０および台足５２が含まれる。温度セルまたはポッド９０はボウル２０’の内部に配置され、グラスの中の飲み物を希釈することなく冷却するための固体、液体またはジェル状の飲み物冷却用物質を備えている。ポッド９０は状況に応じてグラスボウル２０’の内部から取り外される。冷却用物質はポッド９０内に密閉されているため、それにより飲み物が汚染されることはない。ワインを飲むのに最も好ましい温度に維持するため、冷却物質は華氏４０〜６５度（摂氏４〜１８度）程度で固体から気体に相変化する性質をもつことが望ましい。一方、前記物質はボウル内で液体を熱するためにも利用し得る。
【００４６】
図１８に示すように、ボウルの底部には、最も効率的な熱移動のために、上向きの凸表面形状９１ａが設けられ、密閉されたセル９０’がこの凸表面下部に配置される。ポッド（セル）の最も高い位置は、ワインを注ぐ際の標準分量のような、特定の飲み物容量を示し、それはまたボウル２０’の容量標示線２２と同じ高さになることが好ましい（図１７および１８参照）。また図１９に示すように、ボウルの底部に上向きの凹表面形状９１ｂがあり、冷却または加熱物質を含む、密閉されたセル９０’’がこの凹表面形状の下にある態様にすることも可能である。
【００４７】
図１〜１９は、とりわけワインについて良好に作用する本発明の飲料用グラスの態様を示しているが、他の飲み物でも同様に使用可能である。赤ワインの性質は適切に曝気された後により良くなるが、上記態様の特徴により、多くのワインボトルに含まれる小片のデカントやろ過と同様に、その効果的な曝気が可能となる。
【００４８】
図２０は、飲み物と液体風味付け物質を混合するための飲料用グラスを示している。好適な飲料用グラス１４は、円錐形のボウル２０’’、風味付けセルまたはポッド９６、細長い脚部５０および底部５２から構成される。風味付けセルまたはポッド９６は、幅の広い上部開口９８と、側面壁部に設けられた複数の上部穿孔９４および下部穿孔９２とを有する筒状セルであることが好ましい。セル開口９８の高さはボウル内部において如何なる高さでも良く、ボウル開口２４の高さに至っても良い。セル９６は飲料用グラスのボウル内部に着脱不可な状態で取り付けられるか、または一体的に形成されるのが好ましいが、状況に応じて着脱自在に形成され得る。穿孔はセルの上方および下方の双方にではなく、上方のみ、または下方のみに設けられても良い。飲料用グラス１４はとりわけマティーニについて有用であり、セル９６に風味付け用の液体が入れられ、続いて、セル穿孔を通って流れ出す際にボウル内のウォッカやジンと混合される。図２１に示すように、穿孔は、開口の主軸がセルの中央に対して非放射状に配置されるように、混合セルの壁部の厚みを通過するように形成される。この構成により、セルに注がれ、穿孔を通って流れる風味付け用液体は、ボウル内部の飲み物に入り込む際に渦を巻く。
【００４９】
ここで示されている飲用容器はグラスを指しているが、状況によっては、個人使用者の口よりも大きなボウル開口を有し、個人向けに飲み物を提供するための、カップ、タンブラー、およびその他の飲料用容器も含まれる。内部セルを伴う飲用容器は、例えば、アクリルまたはその他のプラスチック等、ガラス以外の素材でも製造され、また、透明、半透明、不透明のいずれにもし得る。
【００５０】
以上の通り、本発明は飲み物を飲料用グラスに注ぐ際に、デカント、ろ過、混合および／または曝気するための内部セルを有する、より良く適合された飲料用グラスを提供するものである。本発明はまた、飲み物の温度を変化させる、または飲み物内に味付け液を保持し混合するための内部セルを有する、より良く適合された飲料用グラスを提供する。
【００５１】
主として特定の好ましい実施形態と共に本発明を説明してきたが、以上の説明を考慮すれば当業者には多くの代替案、修正、および変形が明らかとなることは明白である。したがって、添付の特許請求の範囲が、本発明の範囲および意図の範囲内にあるこのようなあらゆる代替案、修正、および変形を含むことを考慮すべきである。
【図１】
0005364169.tif 000002
【図２】
0005364169.tif 000003
【図３】
0005364169.tif 000004
【図４】
0005364169.tif 000005
【図５】
0005364169.tif 000006
【図６】
0005364169.tif 000007
【図７】
0005364169.tif 000008
【図８】
0005364169.tif 000009
【図９Ａ】
0005364169.tif 000010
【図９Ｂ】
0005364169.tif 000011
【図１０】
0005364169.tif 000012
【図１１】
0005364169.tif 000013
【図１２】
0005364169.tif 000014
【図１３】
0005364169.tif 000015
【図１４】
0005364169.tif 000016
【図１５】
0005364169.tif 000017
【図１６】
0005364169.tif 000018
【図１７】
0005364169.tif 000019
【図１８】
0005364169.tif 000020
【図１９】
0005364169.tif 000021
【図２０】
0005364169.tif 000022
【図２１】
0005364169.tif 000023